(57)【特許請求の範囲】
【請求項１】
設定項目の内容をテキスト形式又はバイナリ形式で記憶する記憶手段と、その記憶手段に記憶された設定項目の内容がバイナリ形式である場合は、バイナリ形式からテキスト形式に変換する変換手段と、その記憶手段に記憶された設定項目の内容をテキスト形式で出力する出力手段とを備え、
前記出力手段は、前記記憶手段に記憶された設定項目の内容に対して項目名を付加するとともに通信ネットワークに接続されたコンピュータの記憶媒体に出力して前記設定項目を記憶させ、
操作手段又は前記コンピュータから所定のコマンドが入力されたときには、前記コンピュータの記憶媒体に記憶された設定項目を前記記憶手段に上書きして記憶する
ことを特徴とする通信端末装置。
【請求項２】
設定項目の内容をテキスト形式又はバイナリ形式で記憶する記憶手段と、その記憶手段に記憶された設定項目の内容がバイナリ形式である場合は、バイナリ形式からテキスト形式に変換する変換手段と、その記憶手段に記憶された設定項目の内容をテキスト形式で出力する出力手段と、前記出力手段から出力された設定項目の内容を記憶する可搬型記録媒体とを備え、
前記出力手段は、前記記憶手段に記憶された設定項目の内容に対して項目名を付加するとともに前記可搬型記録媒体へ出力して前記設定項目を記憶させ、
操作手段又は通信ネットワークに接続されたコンピュータから所定のコマンドが入力されたときには、前記可搬型記録媒体に記憶された設定項目を前記記憶手段に上書きして記憶する  
ことを特徴とする通信端末装置。
【発明の詳細な説明】
【０００１】
【発明の属する技術分野】
本発明は、通信ネットワークに接続された通信端末装置に関するものである。
【０００２】
【従来の技術】
近年、ファクシミリ装置、パソコン等に代表される通信端末装置等をＬＡＮ等の通信ネットワークを用いて相互に接続した通信ネットワークシステムが普及しつつある。
【０００３】
この通信ネットワークシステムにおいては、例えばパソコンからファクシミリ装置と公衆回線網とを介してファクシミリ伝送制御手順に従って、外部のファクシミリ装置等との間でデータを送受信することができる。
【０００４】
ところで、ファクシミリ装置を設置した場合には、使用するユーザに応じて、装置の操作部から設定しなければならない項目が多数ある。すなわち、例えばダイヤル方式、原稿の読み取り時における優先読み取り線密度、受信画データの記録縮小方式等の装置に関する設定項目である。加えて、短縮ダイヤルやワンタッチダイヤルのユーザに依存する設定項目等もある。そして、これらの設定項目の内容は、不揮発性メモリ、例えばＳＲＡＭ（StaticＲＡＭ）に記憶されるように構成されている。
【０００５】
【発明が解決しようとする課題】
しかしながら、これらの設定項目の内容が、何らかの原因で消去された場合は、改めて設定し直す必要が発生する。このような場合において、例えばダイヤル方式、原稿の読み取り時における優先読み取り線密度、受信画データの記録縮小方式等の装置に関する設定項目は、サービスセンターから電話回線を介して復旧させる、いわゆるリモート操作で復旧させることができる。しかし、リモート操作で復旧させる場合であっても、機種毎に設定項目の順序等が異なるため、機種によって復旧させるためのプログラムも異なる。すなわち、復旧プログラム自体に機種依存性があった。
【０００６】
本発明は、このような問題点に着目してなされたものであって、その目的は、設定項目の内容の復旧を容易に行うことが可能な通信端末装置を提供することにある。
【０００７】
【課題を解決するための手段】
上記の目的を達成するために、請求項１に記載の発明では、設定項目の内容をテキスト形式又はバイナリ形式で記憶する記憶手段と、その記憶手段に記憶された設定項目の内容がバイナリ形式である場合は、バイナリ形式からテキスト形式に変換する変換手段と、その記憶手段に記憶された設定項目の内容をテキスト形式で出力する出力手段とを備え、前記出力手段は、前記記憶手段に記憶された設定項目の内容に対して項目名を付加するとともに通信ネットワークに接続されたコンピュータの記憶媒体に出力して前記設定項目を記憶させ、操作手段又は前記コンピュータから所定のコマンドが入力されたときには、前記コンピュータの記憶媒体に記憶された設定項目を前記記憶手段に上書きして記憶することを要旨とする。
【０００８】
請求項２に記載の発明では、設定項目の内容をテキスト形式又はバイナリ形式で記憶する記憶手段と、その記憶手段に記憶された設定項目の内容がバイナリ形式である場合は、バイナリ形式からテキスト形式に変換する変換手段と、その記憶手段に記憶された設定項目の内容をテキスト形式で出力する出力手段と、前記出力手段から出力された設定項目の内容を記憶する可搬型記録媒体とを備え、前記出力手段は、前記記憶手段に記憶された設定項目の内容に対して項目名を付加するとともに前記可搬型記録媒体へ出力して前記設定項目を記憶させ、操作手段又は通信ネットワークに接続されたコンピュータから所定のコマンドが入力されたときには、前記可搬型記録媒体に記憶された設定項目を前記記憶手段に上書きして記憶することを要旨とする。
【０００９】
なお、以下に述べる発明の実施の形態において、特許請求の範囲または課題を解決するための手段に記載の「通信端末装置」はファクシミリ装置１に相当し、同じく「記憶手段」はＲＡＭ１３に相当し、同じく「変換手段」はデータ変換部２２に相当し、同じく「出力手段」はＭＰＵ１１、ＲＯＭ１２、及びＲＡＭ１３に相当し、同じく「可搬型記録手段」はＰＣカード型メモリ２４に相当する。
【００１０】
【発明の実施の形態】
以下に、本発明に係る通信端末装置をファクシミリ装置に具体化した一実施形態を図面を用いて説明する。
【００１１】
図１に示すように、通信ネットワークシステムは、電話回線Ｌを有するファクシミリ装置（ＦＡＸ）１、複数のパソコン２及びファクシミリ装置１と複数のパソコン２との間を相互に接続するハブ（ＨＵＢ）５、トランシーバ６、イーサネットケーブル７、ＡＵＩケーブル８及びツイストペアケーブル９から構成されている。
【００１２】
ファクシミリ装置１及びパソコン２は、ツイストペアケーブル９を介してハブ５に接続されている。ハブ５は、ＡＵＩケーブル８を介してトランシーバ６に接続されている。トランシーバ６は、イーサネットケーブル７を介して他のトランシーバ６と接続されている。ファクシミリ装置１及びパソコン２は、ツイストペアケーブル９に接続するためのインターフェースを内蔵している。ハブ５は、ツイストペアケーブル９とＡＵＩケーブル８とを接続するために設けられるとともに、通信ネットワークＴの接続において集線装置として機能する。トランシーバ６は、ＡＵＩケーブル８とイーサネットケーブル７とを接続するために設けられている。
【００１３】
図２に示すように、ファクシミリ装置１は、ＭＰＵ１１、ＲＯＭ１２、ＲＡＭ１３、読取部１４、記録部１５、操作部１６、表示部１７、画像メモリ１８、コーデック１９、モデム２０、ＮＣＵ２１、データ変換部２２、ＰＣカード用インターフェース２３、ＰＣカード型メモリ２４、通信プロトコル制御部２５及びネットワークインターフェース２６から構成されるとともに、各部１１〜２３，２５がバス２７を介してそれぞれ接続されている。
【００１４】
ＭＰＵ１１は、ファクシミリ装置１を構成する各部を制御する。ＲＯＭ１２は、ファクシミリ装置１を制御するためのプログラムを記憶する。ＲＡＭ１３は、不揮発性メモリ（例えばＳＲＡＭ）で構成され、短縮ダイヤル、ワンタッチダイヤル、発信元情報、機器設定情報等のファクシミリ装置１に関する各種情報を記憶する。
【００１５】
読取部１４は、原稿上の画像データを読み取って、白黒２値のイメージデータを出力する。
記録部１５は、電子写真方式のプリンタよりなり、受信画データの記録動作やコピー動作において、受信された画データ或いは読取部１４にて読み取られた原稿の画データを記録紙上に記録する。
【００１６】
操作部１６は、電話番号を入力するためのテンキー（＊，＃キーを含む）１６ａ、短縮番号の登録又は短縮番号から発信するための短縮キー１６ｂ、予め登録した電話番号又はＦＡＸ番号をワンタッチで指定するためのワンタッチキー１６ｃ、原稿の読み取り動作を開始させるためのスタートキー１６ｄ、「通信（ＦＡＸ）」動作又は「コピー」動作を設定するための通信／コピーキー１６ｅ等の各種操作キーを備えている。ＬＣＤ等よりなる表示部１７は、ファクシミリ装置１の動作状態等の各種情報の表示を行う。
【００１７】
画像メモリ１８は、受信画データや読取部１４で読み取られて２値化され、コーデック１９でＭＭＲ方式に従って符号化された画データを一時的に記憶する。また、画像メモリ１８は、データ変換部２２でＭＭＲ方式に従って符号化されたパソコン２からの画データを一時的に記憶する。
【００１８】
コーデック１９は、読取部１４にて読み取られた画データを送信のためにＭＨ，ＭＲ，ＭＭＲ方式等に従って符号化（エンコード）する。また、コーデック１９は、受信画データを復号（デコード）する。
【００１９】
モデム２０は、ＩＴＵ−Ｔ勧告Ｔ．３０に従ったファクシミリ伝送制御手順及びＶ．１７，Ｖ．２７ｔｅｒ，Ｖ．２９等に従った送受信データの変調及び復調を行う。ＮＣＵ２１は、電話回線Ｌの閉結及び開放を行うとともに、相手先のＦＡＸ番号に対応したダイヤル信号の送出及び着信を検出する機能等を備えている。
【００２０】
データ変換部２２は、パソコン２から通信ネットワークＴを介して送出されてくるＴＩＦＦ、ＢＭＰ、ＧＩＦ、ＪＰＥＧ、ＰＣＸ、ＤＣＸ等の画データを、ＭＨ、ＭＲ、ＭＭＲ方式等の画データに変換する。また、これとは逆に電話回線Ｌを介して受信したＭＨ、ＭＲ、ＭＭＲ方式等の画データを、複数のパソコン２にとって扱い易い形式にするために、ＴＩＦＦ、ＢＭＰ、ＧＩＦ、ＪＰＥＧ、ＰＣＸ、ＤＣＸ等の画データに変換する。加えて、データ変換部２２は、ＭＭＲ方式に従った符号化されたデータやバイナリ形式のデータの設定項目の内容を、テキスト形式のデータの設定項目の内容に変換する。また、これとは逆にテキスト形式のデータの設定項目の内容を、ＭＭＲ方式に従った符号化されたデータやバイナリ形式のデータの設定項目の内容に変換する。
【００２１】
ＰＣカード用インターフェース２３は、ＭＰＵ１１からの制御信号に基づいて、ＰＣカードアダプタ２３ａを介してＰＣカード型メモリ２４にアクセスする。ＰＣカード型メモリ２４は、「PC Card Standard」に準拠し、例えばフラッシュメモリ（ＥＥＰＲＯＭ）で構成され、ファクシミリ装置１に関する各種情報を記憶する。
【００２２】
通信プロトコル制御部２５は、ネットワークインターフェース２６を介して通信ネットワークＴ上の他の装置との間や、ネットワークインターフェース２６及び公衆回線網等を介して通信ネットワークＴ上以外の他の装置との間の通信を制御する通信プロトコルを備えている。具体的には、例えばＳＭＴＰ（メール送信プロトコル）、ＰＯＰ３（メール受信プロトコル）、ＦＴＰ（ファイル転送プロトコル）、ＩＴＵ−Ｔ勧告Ｔ．３０すなわちファクシミリ伝送制御手順の通信プロトコル、サリュテーション（Salutation）・コンソーシアムで規定されたサリュテーション用通信プロトコルを備えている。
【００２３】
図３に示すように、ネットワークインターフェース２６はネットワークコントローラ２８、シリアルインターフェースアダプタ２９及びトランシーバ３０から構成され、そのネットワークインターフェース２６にはハブ５が接続されている。なお、ネットワークインターフェース２６としては、例えば、ネットワークコントローラ２８、シリアルインターフェースアダプタ２９及びトランシーバ３０を１つのＬＳＩとして構成したものや、ネットワークコントローラ２８及びシリアルインターフェースアダプタ２９を１つのＬＳＩとして構成したもの等がある。
【００２４】
１０ＢａｓｅＴに対応したネットワークコントローラ２８は、データをファクシミリ装置１からツイストペアケーブル９上へ適正に送出するために、ＣＳＭＡ／ＣＤ（Carrier Sense Multiple Access with Collision Detection）方式に従って通信ネットワークＴのアクセス制御を行う機能を有している。シリアルインターフェースアダプタ２９は、ファクシミリ装置１からツイストペアケーブル９上へ送出されるデータをパラレルデータからシリアルデータに変換するとともに、ツイストペアケーブル９上に伝送されるシリアルデータをパラレルデータに変換してファクシミリ装置１へ出力する。上記ネットワークインターフェース２６におけるネットワークコントローラ２８及びシリアルインターフェースアダプタ２９は、ファクシミリ装置１内に一体的に組み込まれている。
【００２５】
複数のパソコン２は、パソコン２全体を制御するための制御部、各種情報を表示するためのＬＣＤ等からなる表示部、その表示部に表示された受信データを指定するとともに、所定の文字等を入力するためのキーボード及びマウス、ハードディスク等からなる記憶部等を備えている。また、複数のパソコン２は、ファクシミリ装置１及び他のパソコン２との間で、送受信を行うための通信プロトコルを備えている。
【００２６】
次に、ファクシミリ装置１への設定項目の登録が完了した後、操作部１６又はパソコン２からの指示に基づいて、ファクシミリ装置１のＲＡＭ１３に登録された設定項目の内容を、ＰＣカード型メモリ２４又はパソコン２に転送するときの動作について、図４に示すフローチャートを用いて説明する。なお、この動作はＲＯＭ１２に記憶されたプログラムに基づき、ＭＰＵ１１の制御により実行される。以下、ファクシミリ装置１の動作について同じ。
【００２７】
図４に示すように、ステップＳ１においては、操作部１６又はパソコン２からＲＡＭ１３に登録された設定項目の内容をＰＣカード型メモリ２４又はパソコン２に転送するための所定のコマンドが入力されたか否かが判断される。具体的には、操作部１６のテンキー１６ａから所定コマンドが入力されたか否か、又はパソコン２からＦＴＰコマンドのサブコマンドであるｇｅｔコマンドが実行されたか否かに基づいて判断される。
【００２８】
ステップＳ２においては、ＲＡＭ１３に記憶されている設定項目の内容が、読み出される。
ステップＳ３においては、読み出された設定項目の内容が、データ変換部２２でテキスト形式のデータに変換される。ここで、ＲＡＭ１３に登録されている設定項目の内容には、テキスト形式のデータの他に、バイナリ形式のデータもある。このため、そのままの状態で設定項目の内容を転送しても、転送先ではその設定項目の内容を解読できない。そこで、データ変換部２２において、バイナリ形式のデータからテキスト形式のデータに変換しているのである。
【００２９】
ステップＳ４においては、操作部１６から指示された所定コマンドであるか否かが判断される。操作部１６から指示された所定コマンドである場合は、ステップＳ５に移行する。一方、操作部１６から指示された所定コマンドでない場合、つまりパソコン２から指示された所定コマンドである場合は、ステップＳ６に移行する。
【００３０】
ステップＳ５においては、テキスト形式のデータに変換された設定項目の内容が、ＰＣカード用インターフェース２３及びＰＣカードアダプタ２３ａを介して、ＰＣカード型メモリ２４に転送される。このとき、各項目に対応する項目名が付加されて、ＰＣカード型メモリ２４に転送される。そして、設定項目の内容と項目名とが、ＰＣカード型メモリ２４に記憶される。
【００３１】
ステップＳ６においては、テキスト形式のデータに変換された設定項目の内容が、通信プロトコル制御部２５、ネットワークインターフェース２６及び通信ネットワークＴを介して、所定のコマンドを指示したパソコン２に転送される。このとき、各項目に対応する項目名が付加されて、パソコン２に転送される。そして、設定項目の内容と項目名とが、パソコン２の記憶部に記憶される。
【００３２】
ここで、テキスト形式のデータに変換された設定項目の内容を、図５に示す。同図に示すように、それぞれ各項目の先頭には、各項目に対応する項目名が付加されている。
【００３３】
次に、操作部１６又はパソコン２からの指示に基づいて、ＰＣカード型メモリ２４又はパソコン２に記憶された設定項目の内容を、ファクシミリ装置１のＲＡＭ１３に転送するときの動作について、図６に示すフローチャートを用いて説明する。
【００３４】
ステップＳ１１においては、操作部１６又はパソコン２からＰＣカード型メモリ２４又はパソコン２に記憶された設定項目の内容を、ＲＡＭ１３に転送するための所定のコマンドが入力されたか否かが判断される。具体的には、操作部１６のテンキー１６ａから所定コマンドが入力されたか否か、又はパソコン２からＦＴＰコマンドのサブコマンドであるｐｕｔコマンドが実行されたか否かに基づいて判断される。
【００３５】
ステップＳ１２においては、操作部１６から指示された所定コマンドであるか否かが判断される。操作部１６から指示された所定コマンドである場合は、ステップＳ１３に移行する。一方、操作部１６から指示された所定コマンドでない場合、つまりパソコン２から指示された所定コマンドである場合は、ステップＳ１４に移行する。
【００３６】
ステップＳ１３においては、ＰＣカード型メモリ２４に記憶された設定項目の内容が、ＰＣカード型メモリ２４からＰＣカードアダプタ２３ａ及びＰＣカード用インターフェース２３を介してデータ変換部２２に転送される。
【００３７】
ステップＳ１４においては、パソコン２に記憶された設定項目の内容が、パソコン２から通信ネットワークＴ、ネットワークインターフェース２６及び通信プロトコル制御部２５を介してデータ変換部２２に転送される。
【００３８】
ステップＳ１５においては、ＰＣカード型メモリ２４又はパソコン２から転送されてきたテキスト形式の設定項目の内容が、データ変換部２２でバイナリ形式のデータ等に変換される。
【００３９】
ステップＳ１６においては、バイナリ形式のデータ等に変換された設定項目の内容が、ＲＡＭ１３に転送される。そして、設定項目の内容が上書きされる。
以上、詳述したように本実施形態によれば、次のような作用、効果を得ることができる。
【００４０】
（１）操作部１６又はパソコン２からの指示に基づいて、ＲＡＭ１３に登録した設定項目の内容が、ＰＣカード型メモリ２４又はパソコン２に転送されて記憶されている。このため、万一ＲＡＭ１３に登録した設定項目の内容が消去されても、操作部１６から改めて設定する必要はない。従って、ＲＡＭ１３への設定項目の登録が完了した後、その設定項目の内容をＰＣカード型メモリ２４又はパソコン２にバックアップしていれば、設定項目の内容の復旧を容易に行うことができる。
【００４１】
（２）しかも、パソコン２に転送してバックアップするときは、バイナリ形式のデータであっても、データ変換部２２で変換されてテキスト形式のデータとして記憶されている。加えて、設定項目に対応する項目名が付加されている。このため、パソコン２の画面上で、エディタ等のアプリケーションを用いて容易に編集することもできる。従って、設定項目の内容を簡便に取り扱うことができる。加えて、従来とは異なり、復旧プログラム自体の機種依存性をも排除することができる。
【００４２】
（３）一方、ＰＣカード型メモリ２４に転送してバックアップした場合には、ＰＣカード型メモリ２４を介して、パソコン２の画面上で、容易に編集することができる。加えて、他の装置（例えば通信ネットワークＴに接続されていないパソコン等）との間で、設定項目の内容を容易にデータ交換することができる。従って、ＰＣカード型メモリ２４にバックアップした場合であっても、設定項目の内容を簡便に取り扱うことができる。なお、通信ネットワークＴに他のファクシミリ装置が接続されている場合には、ファクシミリ装置１のＲＡＭ１３に登録した設定項目の内容を通信ネットワークＴを介して転送することができることは言うまでもない。
【００４３】
（４）加えて、大企業等で同一部署に複数台のファクシミリ装置１が導入された場合には、先ず１台目のファクシミリ装置１の設定項目の登録を行う。そして、その設定項目の内容を、例えばＰＣカード型メモリ２４にバックアップする。その後、設定項目がバックアップされたＰＣカード型メモリ２４を用いれば、他のファクシミリ装置１の設定項目の登録を容易に行うことができる。
【００４４】
（５）図５に示すように、設定項目の内容は、「”（ダブルクォーテーション）」で囲まれるとともに、各設定項目の内容の間は、「，（コンマ）」で区切られている。このため、例えば表計算用アプリケーション、データベース用アプリケーション等を用いて、容易に編集することもできる。従って、設定項目の内容を簡便に取り扱うことができる。
【００４５】
なお、前記実施形態は、次のように変更して具体化することも可能である。
・フラッシュメモリで構成されるＰＣカード型メモリ２４に代えて、ＨＤＤ（ハードディスク、例えばＰＣカードのタイプIII ）、例えばＳＲＡＭを搭載したＩＣカード等の可搬型記録媒体であっても良い。
【００４６】
・加えて、フロッピーディスク、磁気テープ等であっても良い。
・前記実施形態を、サービスセンタからのリモート操作に適用しても良い。このように構成すれば、通信ネットワークＴに接続するための構成を備えていないファクシミリ装置、又はＰＣカード用インターフェース２３やＰＣカード型メモリ２４を備えていないファクシミリ装置であってもサービスセンタからのリモート操作で、ＲＡＭ１３に登録された設定項目の内容をバックアップすることができるとともに、設定項目の内容の復旧を容易に行うことができる。
【００４７】
・さらに、設定項目の内容を記録部１５に出力する構成にしても良い。つまり、設定項目の内容を記録紙に記録させる構成にしても良い。このように構成しても、記録紙に記録された設定項目の内容を、スキャナを用いてパソコン２にデータとして取り込むことができる。その後、パソコン２の画面上で、エディタ等のアプリケーションを用いて容易に編集することもできる。
【００４８】
さらに、上記実施形態等より把握される請求項以外の技術的思想について、以下にそれらの効果と共に記載する。
〔１〕請求項１〜請求項３のいずれか１項に記載の通信端末装置において、出力手段は、設定項目の内容を特定の文字で区切って出力する通信端末装置。
【００４９】
このように構成すれば、設定項目の内容を簡便に取り扱うことができる。
〔２〕請求項１〜請求項３、前記〔１〕のいずれか１項に記載の通信端末装置において、出力手段は、設定項目の内容をダブルクォーテーションで囲むとともに、設定項目の内容の間をカンマで区切って出力する通信端末装置。
【００５０】
このように構成すれば、設定項目の内容を簡便に取り扱うことができる。
【００５１】
【発明の効果】
本発明は、以上のように構成されているため、次のような効果を奏する。
請求項１〜請求項３のいずれか１項に記載の発明によれば、設定項目の内容の復旧を容易に行うことができる。
【図面の簡単な説明】
【図１】通信ネットワークシステムの構成を示すブロック図。
【図２】ファクシミリ装置の構成を示すブロック図。
【図３】ネットワークインターフェースの構成を示すブロック図。
【図４】ファクシミリ装置に登録された設定項目の内容をＰＣカード型メモリ又はパソコンに転送するときの動作を示すフローチャート。
【図５】テキスト形式に変換された設定項目の内容を示す説明図。
【図６】転送した設定項目の内容をファクシミリ装置のＲＡＭに転送するときの動作を示すフローチャート。
【符号の説明】
１…通信端末装置としてのファクシミリ装置、１１…出力手段を構成するＭＰＵ、１２…出力手段を構成するＲＯＭ、１３…出力手段及び記憶手段を構成するＲＡＭ、２２…変換手段としてのデータ変換部、２４…可搬型記録媒体としてのＰＣカード型メモリ、Ｔ…通信ネットワーク。
【図１】
0003906618.tif 000002
【図２】
0003906618.tif 000003
【図３】
0003906618.tif 000004
【図４】
0003906618.tif 000005
【図５】
0003906618.tif 000006
【図６】
0003906618.tif 000007